(57)【要約】【課題】ドロワユニットの大型化を抑制しつつ、第１ドラムカートリッジをドロワユニットから離脱させるときに第１ドラムカートリッジが第１露光ヘッドに接触することを防止できる画像形成装置を提供する。【解決手段】  画像形成装置１は、ドラムカートリッジ５Ｙと、ドラムカートリッジ５Ｙが装着可能であり、感光ドラム１４Ｙを露光するための露光ヘッド１３Ｙを備えるドロワユニット４とを備える。露光ヘッド１３Ｙは、感光ドラム１４Ｙに近接した第１位置から、第１位置よりも感光ドラム１４Ｙから離れた第２位置にスライドし、その後、第２位置から、第２位置よりも感光ドラム１４Ｙから離れた第３位置に回動可能である。【選択図】図１０
2019105825.tif 000002
【特許請求の範囲】
【請求項１】
本体筐体と、
第１感光ドラムを備える第１ドラムカートリッジと、
前記第１ドラムカートリッジが装着可能であり、前記本体筐体の内にある内部位置と前記本体筐体の外にある外部位置との間を移動方向に移動可能なドロワユニットであって、ドロワフレームと、前記第１感光ドラムを露光するための第１露光ヘッドとを備えるドロワユニットと、
を備え、
前記第１露光ヘッドは、前記第１ドラムカートリッジが前記外部位置に位置する前記ドロワユニットに装着された状態で、
前記第１感光ドラムに近接した第１位置であって、前記第１ドラムカートリッジが前記ドロワユニットから離脱不能となる第１位置から、
前記第１位置よりも前記第１感光ドラムから離れた第２位置であって、前記第１位置からスライドした第２位置を経て、
前記第２位置よりも前記第１感光ドラムから離れた第３位置であって、前記第２位置から回動して、前記第１ドラムカートリッジが前記ドロワユニットから離脱可能となる第３位置に移動可能であることを特徴とする、画像形成装置。
【請求項２】
前記第１感光ドラムに供給されるトナーを収容可能であり、前記ドロワユニットに装着可能な第１現像カートリッジを備え、
前記第１露光ヘッドは、前記第１現像カートリッジが前記ドロワユニットから離脱した状態で、前記第２位置から前記第３位置へ移動可能となることを特徴とする、請求項１に記載の画像形成装置。
【請求項３】
第２感光ドラムを備え、前記ドロワユニットに装着可能な第２ドラムカートリッジと、
前記第２感光ドラムに供給されるトナーを収容可能であり、前記ドロワユニットに装着可能な第２現像カートリッジと、
を備え、
前記第１露光ヘッドは、前記第１位置に位置した状態で、前記第１現像カートリッジと前記第２現像カートリッジとの間に位置し、前記第３位置に位置した状態で、前記第２現像カートリッジの上に位置することを特徴とする、請求項２に記載の画像形成装置。
【請求項４】
前記第１露光ヘッドは、ＬＥＤアレイと、前記ＬＥＤアレイを支持する露光フレームとを備え、
前記ドロワユニットは、前記第１露光ヘッドが前記第３位置に位置する状態で前記ＬＥＤアレイを覆うカバーを備えることを特徴とする、請求項１から請求項３のいずれか一項に記載の画像形成装置。
【請求項５】
前記第１ドラムカートリッジは、前記第１露光ヘッドが前記第３位置に位置する状態で、前記カバーに対して前記第１露光ヘッドの反対側を通って、前記ドロワユニットに装着可能であることを特徴とする、請求項４に記載の画像形成装置。
【請求項６】
前記ドロワフレームは、第１サイドフレームと、前記第１ドラムカートリッジが前記ドロワユニットに装着された状態で、前記第１感光ドラムの回転軸線が延びる軸線方向において前記第１ドラムカートリッジに対して前記第１サイドフレームの反対側に位置する第２サイドフレームとを備え、
前記カバーは、前記第１サイドフレームから前記第２サイドフレームまで延びることを特徴とする、請求項４または請求項５に記載の画像形成装置。
【請求項７】
前記カバーは、前記第１露光ヘッドが前記第１位置に位置する状態で前記第１露光ヘッドの上端部を露出する切欠きを有することを特徴とする、請求項４から請求項６のいずれか一項に記載の画像形成装置。
【請求項８】
前記ドロワフレームは、前記ドロワユニットが前記内部位置から前記外部位置へ向かう方向において、上流端と下流端とを有し、
前記ドロワフレームは、前記上流端に位置するドロワハンドルを備え、
前記カバーは、前記ドロワユニットが前記内部位置から前記外部位置へ移動するときに、前記ドロワハンドルよりも下方に位置することを特徴とする、請求項４から請求項７のいずれか一項に記載の画像形成装置。
【請求項９】
前記カバーは、
前記第１位置に位置する前記第１露光ヘッドを保護する第１保護位置と、前記第３位置に位置する前記第１露光ヘッドを保護する第２保護位置と、の間を回動可能であり、
前記第１露光ヘッドが前記第１位置から前記第３位置へ移動するときに、前記第１露光ヘッドと接触することにより、前記第１保護位置から前記第２保護位置へ移動することを特徴とする、請求項４から請求項８のいずれか一項に記載の画像形成装置。
【請求項１０】
前記カバーは、
前記第１位置に位置する前記第１露光ヘッドを保護する第１保護位置と、前記第３位置に位置する前記第１露光ヘッドを保護する第２保護位置と、の間を回動可能であり、
前記第１露光ヘッドが前記第１位置から前記第３位置から移動する際に、前記第１露光ヘッドと連動して、前記第１保護位置から前記第２保護位置へと移動することを特徴とする、請求項４から請求項８のいずれか一項に記載の画像形成装置。
【請求項１１】
前記第１感光ドラムに供給されるトナーを収容可能であり、前記ドロワユニットに装着可能な第１現像カートリッジを備え、
前記第１現像カートリッジは、現像ハンドルを有し、
前記第１ドラムカートリッジは、ドラムハンドルを有し、
前記第１露光ヘッドは、前記第１ドラムカートリッジが前記ドロワユニットに装着された状態で、前記ドラムハンドルを収容する凹部を有することを特徴とする、請求項１から請求項１０のいずれか一項に記載の画像形成装置。
【発明の詳細な説明】
【技術分野】
【０００１】
本発明は、画像形成装置に関する。
【背景技術】
【０００２】
従来、ドラムカートリッジと、ドロワユニットとを備える画像形成装置が知られている。ドラムカートリッジは、感光ドラムを備える。ドロワユニットには、ドラムカートリッジが装着可能である。ドロワユニットは、感光ドラムを露光するための露光ヘッドを備える。露光ヘッドは、感光ドラムに近接した第１位置と、第１位置よりも感光ドラムから離れた第２位置との間を移動可能である（下記特許文献１参照）。
【先行技術文献】
【特許文献】
【０００３】
【特許文献１】特開２０１２−１４４０１９号公報
【発明の概要】
【発明が解決しようとする課題】
【０００４】
上記した特許文献１に記載の画像形成装置において、ドラムカートリッジをドロワユニットから取り外すときに、ドラムカートリッジが露光ヘッドに接触することを、より確実に防ごうとすると、第１位置から第２位置への露光ヘッドの移動距離を大きくすることが考えられる。
【０００５】
しかし、露光ヘッドの移動距離を大きくすると、その分、ドロワユニットを大型化させる必要がある。
【０００６】
そこで、本開示の目的は、ドロワユニットの大型化を抑制しつつ、第１ドラムカートリッジをドロワユニットから離脱させるときに第１ドラムカートリッジが第１露光ヘッドに接触することを防止できる画像形成装置を提供することにある。
【課題を解決するための手段】
【０００７】
本発明の画像形成装置は、本体筐体と、第１ドラムカートリッジと、ドロワユニットとを備える。第１ドラムカートリッジは、第１感光ドラムを備える。ドロワユニットには、第１ドラムカートリッジが装着可能である。ドロワユニットは、本体筐体の内にある内部位置と本体筐体の外にある外部位置との間を移動方向に移動可能である。ドロワユニットは、ドロワフレームと、第１感光ドラムを露光するための第１露光ヘッドとを備える。
【０００８】
第１露光ヘッドは、第１ドラムカートリッジが外部位置に位置するドロワユニットに装着された状態で、第１感光ドラムに近接した第１位置であって、第１ドラムカートリッジがドロワユニットから離脱不能となる第１位置から、第１位置よりも第１感光ドラムから離れた第２位置であって、第１位置からスライドした第２位置を経て、第２位置よりも第１感光ドラムから離れた第３位置であって、第２位置から回動して、第１ドラムカートリッジがドロワユニットから離脱可能となる第３位置に移動可能である。
【０００９】
このような構成によれば、第１露光ヘッドを第１位置から第２位置へスライドさせることにより、第１露光ヘッドを第１感光ドラムから確実に離すことができる。
【００１０】
また、第１露光ヘッドを第２位置から第３位置に回動させることにより、第１露光ヘッドを第２位置に位置させておくよりも、第１露光ヘッドを配置するスペースの省スペース化を図ることができる。
【００１１】
その結果、ドロワユニットの大型化を抑制しつつ、第１ドラムカートリッジをドロワユニットから離脱させるときに第１ドラムカートリッジが第１露光ヘッドに接触することを防止できる。
【発明の効果】
【００１２】
本発明の画像形成装置によれば、ドロワユニットの大型化を抑制しつつ、第１ドラムカートリッジをドロワユニットから離脱させるときに第１ドラムカートリッジが第１露光ヘッドに接触することを防止できる。
【図面の簡単な説明】
【００１３】
【図１】図１は、画像形成装置の概略構成図である。
【図２】図２は、図１に示すドロワユニットが外部位置に位置した状態を示す。
【図３】図３は、図１に示すドロワユニットの斜視図である。
【図４】図４は、図３に示すサイドフレームの側面図である。
【図５】図５は、図３に示すドロワユニットを別の角度から見た斜視図である。
【図６】図６Ａは、露光ヘッドが第１位置に位置し、露光ヘッドがドラムカートリッジに対して係合した状態を示し、図６Ｂは、露光ヘッドが第２位置に位置し、露光ヘッドとドラムカートリッジとの係合が解除された状態を示す。
【図７】図７Ａは、露光ヘッドが第１位置に位置し、ドラムハンドルが露光ヘッドの凹部に収容された状態を示し、図７Ｂは、露光ヘッドが第２位置に位置し、ドラムハンドルが露光ヘッドの凹部から外れた状態を示す。
【図８】図８は、ドラムユニットに対する現像カートリッジの着脱を説明する説明図である。
【図９】図９は、露光ヘッドの移動を説明する説明図であって、露光ヘッドが第２位置に位置し、カバーが第１保護位置から第１回動方向に回動した状態を示す。
【図１０】図１０は、図９に続いて、露光ヘッドの移動を説明する説明図であって、露光ヘッドが第３位置に位置し、カバーが第２保護位置に位置した状態を示す。
【発明を実施するための形態】
【００１４】
１．画像形成装置１
図１および図２を参照して、画像形成装置１について説明する。
【００１５】
図１に示すように、画像形成装置１は、本体筐体２と、給紙部３と、ドロワユニット４と、複数のドラムカートリッジ５Ｙ、５Ｍ、５Ｃ、５Ｋと、複数の現像カートリッジ６Ｙ、６Ｍ、６Ｃ、６Ｋと、転写ユニット７と、定着器８とを備える。
【００１６】
１．１  本体筐体
本体筐体２は、画像形成装置１の外装を構成する。本体筐体２は、給紙部３と、ドロワユニット４と、複数のドラムカートリッジ５Ｙ、５Ｍ、５Ｃ、５Ｋと、複数の現像カートリッジ６Ｙ、６Ｍ、６Ｃ、６Ｋと、転写ユニット７と、定着器８を収容する。本体筐体２は、開口２Ａを有する。開口２Ａは、ドロワユニット４が内部位置に位置する状態で、ドロワユニット４に対して、定着器８の反対側に位置する。内部位置については、後で説明する。また、本体筐体２は、カバー２Ｂを備える。カバー２Ｂは、開口２Ａを閉鎖する閉位置（図１参照）と、開口２Ａを開放する開位置（図２参照）との間を移動可能である。
【００１７】
１．２  給紙部
給紙部３は、感光ドラム１４Ｙに向かってシートＳを供給するように構成される。シートＳは、例えば、印刷用紙である。感光ドラム１４Ｙについては、後で説明する。給紙部３は、給紙トレイ９と、ピックアップローラ１０と、給紙ローラ１１とを備える。給紙トレイ９は、シートＳを収容するように構成される。ピックアップローラ１０は、給紙トレイ９内のシートＳを給紙ローラ１１に向かって搬送するように構成される。給紙ローラ１１は、ピックアップローラ１０からのシートＳを感光ドラム１４Ｙに向かって搬送するように構成される。
【００１８】
１．３  ドロワユニット
図２に示すように、ドロワユニット４は、カバー２Ｂが開位置に位置する状態で、開口２Ａを介して、内部位置（図１参照）と外部位置（図２参照）との間を移動可能である。内部位置は、ドロワユニット４が本体筐体２の内にあるときの、ドロワユニット４の位置である。外部位置は、ドロワユニット４が本体筐体２の外にあるときの、ドロワユニット４の位置である。ドロワユニット４が内部位置と外部位置との間を移動する方向を、移動方向と定義する。図１に示すように、ドロワユニット４は、複数の露光ヘッド１３Ｙ、１３Ｍ、１３Ｃ、１３Ｋを備える。
【００１９】
複数の露光ヘッド１３Ｙ、１３Ｍ、１３Ｃ、１３Ｋは、移動方向において、互いに間隔を空けて並ぶ。複数の露光ヘッド１３Ｙ、１３Ｍ、１３Ｃ、１３Ｋは、複数のドラムカートリッジ５Ｙ、５Ｍ、５Ｃ、５Ｋがドロワユニット４に装着された状態で、複数の感光ドラム１４Ｙ、１４Ｍ、１４Ｃ、１４Ｋよりも上方に位置する。露光ヘッド１３Ｙは、感光ドラム１４Ｙを露光するように構成される。露光ヘッド１３Ｍは、感光ドラム１４Ｍを露光するように構成される。露光ヘッド１３Ｃは、感光ドラム１４Ｃを露光するように構成される。露光ヘッド１３Ｋは、感光ドラム１４Ｋを露光するように構成される。
【００２０】
１．４  複数のドラムカートリッジ
複数のドラムカートリッジ５Ｙ、５Ｍ、５Ｃ、５Ｋのそれぞれは、ドロワユニット４が外部位置（図２参照）に位置しているときに、ドロワユニット４に装着可能である。複数のドラムカートリッジ５Ｙ、５Ｍ、５Ｃ、５Ｋは、ドロワユニット４に装着された状態で、移動方向において、互いに間隔を隔てて並ぶ。
【００２１】
ドラムカートリッジ５Ｙは、感光ドラム１４Ｙと、帯電器１５Ｙとを備える。
【００２２】
感光ドラム１４Ｙは、所定の回転軸線について回転可能である。感光ドラム１４Ｙの回転軸線が延びる方向を、軸線方向と定義する。感光ドラム１４Ｙは、軸線方向に延びる。感光ドラム１４Ｙは、円筒形状を有する。
【００２３】
帯電器１５Ｙは、感光ドラム１４Ｙの周面を帯電するように構成される。帯電器１５Ｙが感光ドラム１４Ｙの周面を帯電した後、露光ヘッド１３Ｙが、帯電された感光ドラム１４Ｙの周面を露光することにより、感光ドラム１４Ｙの周面に静電潜像が形成される。帯電器１５Ｙは、ドラムカートリッジ５Ｙがドロワユニット４に装着された状態で、移動方向において、露光ヘッド１３Ｙに対して現像ローラ１６Ｙの反対側に位置する。現像ローラ１６Ｙについては、後で説明する。帯電器１５Ｙは、ドラムカートリッジ５Ｙがドロワユニット４に装着された状態で、感光ドラム１４Ｙの回転方向において、露光ヘッド１３Ｙに対して上流側に位置する。帯電器１５Ｙは、具体的には、帯電ローラである。なお、帯電器１５Ｙは、スコロトロン型の帯電器であってもよい。
【００２４】
なお、ドラムカートリッジ５Ｍは、感光ドラム１４Ｍと、帯電器１５Ｍとを備える。ドラムカートリッジ５Ｃは、感光ドラム１４Ｃと、帯電器１５Ｃとを備える。ドラムカートリッジ５Ｋは、感光ドラム１４Ｋと、帯電器１５Ｋとを備える。ドラムカートリッジ５Ｍ、５Ｃ、５Ｋのそれぞれは、ドラムカートリッジ５Ｙと同じ構造を有し、ドラムカートリッジ５Ｙと同様に説明される。そのため、ドラムカートリッジ５Ｍ、５Ｃ、５Ｋのそれぞれについての説明は、省略される。
【００２５】
１．５  複数の現像カートリッジ
複数の現像カートリッジ６Ｙ、６Ｍ、６Ｃ、６Ｋは、ドロワユニット４が外部位置（図２参照）に位置しているときに、ドロワユニット４に装着可能である。複数の現像カートリッジ６Ｙ、６Ｍ、６Ｃ、６Ｋは、ドロワユニット４に装着された状態で、移動方向において、互いに間隔を隔てて並ぶ。
【００２６】
現像カートリッジ６Ｙは、感光ドラム１４Ｙに供給されるトナーを収容可能である。現像カートリッジ６Ｙは、現像ローラ１６Ｙを備える。
【００２７】
現像ローラ１６Ｙは、現像カートリッジ６Ｙ内のトナーを感光ドラム１４Ｙに供給するように構成される。静電潜像が形成された感光ドラム１４Ｙに現像カートリッジ６Ｙ内のトナーが供給されることにより、静電潜像が現像され、感光ドラム１４Ｙの周面にトナー像が形成される。言い換えると、トナー像は、トナーが現像ローラ１６Ｙから感光ドラム１４Ｙに静電気的に移動することにより、感光ドラム１４Ｙに形成された静電潜像が現像され、感光ドラム１４Ｙの周面に形成される。現像ローラ１６Ｙの一部は、現像カートリッジ６Ｙの内部に収容される。現像ローラ１６Ｙは、ドラムカートリッジ５Ｙおよび現像カートリッジ６Ｙがドロワユニット４に装着された状態で、感光ドラム１４Ｙの回転方向において、露光ヘッド１３Ｙに対して下流側に位置する。現像ローラ１６Ｙは、ドラムカートリッジ５Ｙおよび現像カートリッジ６Ｙがドロワユニット４に装着された状態で、感光ドラム１４Ｙの周面に接触する。
【００２８】
なお、現像カートリッジ６Ｍは、感光ドラム１４Ｍに供給されるトナーを収容可能であり、現像ローラ１６Ｍを備える。現像カートリッジ６Ｃは、感光ドラム１４Ｃに供給されるトナーを収容可能であり、現像ローラ１６Ｃを備える。現像カートリッジ６Ｋは、感光ドラム１４Ｋに供給されるトナーを収容可能であり、現像ローラ１６Ｋを備える。現像カートリッジ６Ｍ、６Ｃ、６Ｋのそれぞれは、現像カートリッジ６Ｙと同じ構造を有し、現像カートリッジ６Ｙと同様に説明される。そのため、現像カートリッジ６Ｍ、６Ｃ、６Ｋのそれぞれについての説明は、省略される。
【００２９】
１．６  転写ユニット
転写ユニット７は、複数のドラムカートリッジ５Ｙ、５Ｍ、５Ｃ、５Ｋが装着されたドロワユニット４が内部位置に位置するときに、複数の感光ドラム１４Ｙ、１４Ｍ、１４Ｃ、１４Ｋの下方に位置する。転写ユニット７は、複数のドラムカートリッジ５Ｙ、５Ｍ、５Ｃ、５Ｋが装着されたドロワユニット４が内部位置に位置するときに、複数の感光ドラム１４Ｙ、１４Ｍ、１４Ｃ、１４Ｋと接触する。転写ユニット７は、給紙部３から供給されたシートＳを定着器８に向かって搬送する。転写ユニット７は、シートＳが複数の感光ドラム１４Ｙ、１４Ｍ、１４Ｃ、１４Ｋのそれぞれと接触するときに、複数の感光ドラム１４Ｙ、１４Ｍ、１４Ｃ、１４Ｋのそれぞれのトナー像をシートＳに転写する。
【００３０】
１．７  定着器
定着器８は、トナー像が転写されたシートＳを加熱および加圧して、シートＳにトナー像を定着させるように構成される。定着器８を通過したシートＳは、本体筐体２の上面に排紙される。
【００３１】
２．ドロワユニットの詳細
以下、図３から図１０を参照して、ドロワユニット４について説明する。
【００３２】
図３に示すように、ドロワユニット４は、上記した複数の露光ヘッド１３Ｙ、１３Ｍ、１３Ｃ、１３Ｋに加えて、ドロワフレーム４１と、複数のカバー４２Ｙ、４２Ｍ、４２Ｃ、４２Ｋとを備える。
【００３３】
２．１  ドロワフレーム
ドロワフレーム４１には、複数のドラムカートリッジ５Ｙ、５Ｍ、５Ｃ、５Ｋ、および、複数の現像カートリッジ６Ｙ、６Ｍ、６Ｃ、６Ｋが装着可能である。ドロワフレーム４１は、サイドフレーム４３Ａと、サイドフレーム４３Ｂと、ドロワハンドル４４とを有する。
【００３４】
２．１．１  サイドフレーム４３Ａ
サイドフレーム４３Ａは、移動方向に延びる。サイドフレーム４３Ａは、平板形状を有する。サイドフレーム４３Ａは、図４に示すように、複数のドラムガイド４５Ｙ、４５Ｍ、４５Ｃ、４５Ｋと、複数の現像ガイド４６Ｙ、４６Ｍ、４６Ｃ、４６Ｋと、複数の露光ヘッドガイド４７Ｙ、４７Ｍ、４７Ｃ、４７Ｋと、複数の突起４８Ｙ、４８Ｍ、４８Ｃ、４８Ｋとを有する。
【００３５】
複数のドラムガイド４５Ｙ、４５Ｍ、４５Ｃ、４５Ｋは、移動方向において、互いに間隔を空けて並ぶ。ドラムガイド４５Ｙは、ドラムカートリッジ５Ｙの装着をガイドする。ドラムガイド４５Ｙは、移動方向において、露光ヘッドガイド４７Ｙに対して露光ヘッドガイド４７Ｍの反対側に位置する。なお、ドラムガイド４５Ｍは、ドラムカートリッジ５Ｍの装着をガイドする。ドラムガイド４５Ｃは、ドラムカートリッジ５Ｃの装着をガイドする。ドラムガイド４５Ｋは、ドラムカートリッジ５Ｋの装着をガイドする。ドラムガイド４５Ｍ、４５Ｃ、４５Ｋのそれぞれは、ドラムガイド４５Ｙと同じ構造を有し、ドラムガイド４５Ｙと同様に説明される。そのため、ドラムガイド４５Ｍ、４５Ｃ、４５Ｋについての説明は、省略される。
【００３６】
複数の現像ガイド４６Ｙ、４６Ｍ、４６Ｃ、４６Ｋは、移動方向において、互いに間隔を空けて並ぶ。現像ガイド４６Ｙは、現像カートリッジ６Ｙの装着をガイドする。現像ガイド４６Ｙは、移動方向において、露光ヘッドガイド４７Ｙに対して、ドラムガイド４５Ｙと同じ側に位置する。具体的には、現像ガイド４６Ｙは、移動方向において、露光ヘッドガイド４７Ｙに対して露光ヘッドガイド４７Ｍの反対側に位置する。なお、現像ガイド４６Ｍは、現像カートリッジ６Ｍの装着をガイドする。現像ガイド４６Ｃは、現像カートリッジ６Ｃの装着をガイドする。現像ガイド４６Ｋは、現像カートリッジ６Ｋの装着をガイドする。現像ガイド４６Ｍ、４６Ｃ、４６Ｋのそれぞれは、現像ガイド４６Ｙと同じ構造を有し、現像ガイド４６Ｙと同様に説明される。そのため、現像ガイド４６Ｍ、４６Ｃ、４６Ｋについての説明は、省略される。
【００３７】
複数の露光ヘッドガイド４７Ｙ、４７Ｍ、４７Ｃ、４７Ｋは、移動方向において、互いに間隔を空けて並ぶ。露光ヘッドガイド４７Ｙは、露光ヘッド１３Ｙの移動をガイドする。露光ヘッドガイド４７Ｙには、露光ヘッド１３Ｙのボス６３Ａ（図５参照）が嵌まる。ボス６３Ａについては、後で説明する。露光ヘッドガイド４７Ｙは、第１部分４７Ａと、第２部分４７Ｂとを有する。第１部分４７Ａは、上下方向に延びる。第２部分４７Ｂは、第１部分４７Ａの上端部から延びる。第２部分４７Ｂは、移動方向に延びる。詳しくは、第２部分４７Ｂは、移動方向において、現像ガイド４６Ｙから離れる方向に延びる。すなわち、第２部分４７Ｂは、移動方向において、現像ガイド４６Ｙから露光ヘッドガイド４７Ｍに向かって延びる。
【００３８】
複数の突起４８Ｙ、４８Ｍ、４８Ｃ、４８Ｋは、移動方向において、互いに間隔を空けて並ぶ。複数の突起４８Ｙ、４８Ｍ、４８Ｃ、４８Ｋのそれぞれは、サイドフレーム４３Ａからサイドフレーム４３Ｂに向かって突出する。突起４８Ｙは、露光ヘッド１３Ｙが第３位置に位置するときに、露光ヘッド１３Ｙのアーム６０Ａ（図５参照）に接触して、露光ヘッド１３Ｙを支持する。アーム６０Ａについては、後で説明する。突起４８Ｍ、４８Ｃ、４８Ｋのそれぞれは、突起４８Ｙと同じ構造を有し、突起４８Ｙと同様に説明される。そのため、突起４８Ｍ、４８Ｃ、４８Ｋについての説明は、省略される。
【００３９】
２．１．２  サイドフレーム４３Ｂ
サイドフレーム４３Ｂは、図３に示すように、幅方向において、サイドフレーム４３Ａと間隔を隔てて位置する。幅方向は、移動方向および上下方向と交差する。幅方向は、ドロワフレーム４１にドラムカートリッジ５Ｙおよび現像カートリッジ６Ｙが装着された状態で、軸線方向、および、現像ローラ１６Ｙが延びる方向と同じ方向である。複数のドラムカートリッジ５Ｙ、５Ｍ、５Ｃ、５Ｋ、および、複数の現像カートリッジ６Ｙ、６Ｍ、６Ｃ、６Ｋは、ドロワユニット４に装着された状態で、幅方向において、サイドフレーム４３Ａとサイドフレーム４３Ｂとの間に位置する。すなわち、サイドフレーム４３Ｂは、ドラムカートリッジ５Ｙがドロワユニット４に装着された状態で、軸線方向において、ドラムカートリッジ５Ｙに対してサイドフレーム４３Ａの反対側に位置する。また、複数の露光ヘッド１３Ｙ、１３Ｍ、１３Ｃ、１３Ｋは、幅方向において、サイドフレーム４３Ａとサイドフレーム４３Ｂとの間に位置する。
【００４０】
なお、サイドフレーム４３Ｂは、サイドフレーム４３Ａと同じ構造を有し、サイドフレーム４３Ａと同様に説明される。そのため、サイドフレーム４３Ｂの説明は、省略される。
【００４１】
２．１．３  ドロワハンドル
ドロワフレーム４１は、ドロワユニット４が内部位置から外部位置へ向かう方向において、上流端４Ａと下流端４Ｂとを有する。ドロワユニット４が内部位置にある状態で、上流端４Ａは、ドロワフレーム４１の定着器８に近い側に位置し、下流端４Ｂは、ドロワフレーム４１のカバー２Ｂに近い側に位置する。ドロワハンドル４４は、下流端４Ｂに位置する。ドロワハンドル４４は、ドロワフレーム４１から上方へ突出する。ドロワハンドル４４の上端部は、複数のカバー４２Ｙ、４２Ｍ、４２Ｃ、４２Ｋのそれぞれが第１保護位置に位置した状態で、複数のカバー４２Ｙ、４２Ｍ、４２Ｃ、４２Ｋよりも上方に位置する。すなわち、複数のカバー４２Ｙ、４２Ｍ、４２Ｃ、４２Ｋは、ドロワユニット４が内部位置から外部位置へ移動するときに、ドロワハンドル４４よりも下方に位置する。これにより、ドロワユニット４が内部位置から外部位置へ移動したとき、ユーザの注意をドロワハンドル４４に引き付けることができる。
【００４２】
２．２  露光ヘッド
露光ヘッド１３Ｙは、図５に示すように、ドロワフレーム４１に支持される。露光ヘッド１３Ｙは、ドロワユニット４の幅方向に延びる。露光ヘッド１３Ｙは、ドラムカートリッジ５Ｙが外部位置に位置するドロワユニット４に装着された状態で、第１位置（図８参照）から、第２位置（図９参照）を経て、第３位置（図１０参照）に移動可能である。
【００４３】
第１位置は、露光ヘッド１３Ｙが感光ドラム１４Ｙに近接した位置である。露光ヘッド１３Ｙは、第１位置に位置した状態で、感光ドラム１４Ｙを露光可能である。露光ヘッド１３Ｙは、第１位置に位置した状態で、上下方向に延びる。露光ヘッド１３Ｙは、第１位置に位置した状態で、現像カートリッジ６Ｙと現像カートリッジ６Ｍとの間に位置する。
【００４４】
第２位置は、露光ヘッド１３Ｙが第１位置からスライドした位置である。詳しくは、第２位置は、露光ヘッド１３Ｙが第１位置から上方へスライドした位置である。露光ヘッド１３Ｙは、第２位置に位置するとき、第１位置よりも感光ドラム１４Ｙから離れる。
【００４５】
第３位置は、露光ヘッド１３Ｙが第２位置から回動した位置である。露光ヘッド１３Ｙは、現像カートリッジ６Ｙがドロワユニット４から離脱した状態で、第２位置から第３位置へ移動可能となる。露光ヘッド１３Ｙは、第３位置に位置した状態で、現像カートリッジ６Ｍの上に位置する。露光ヘッド１３Ｙは、第３位置に位置するとき、第２位置よりも感光ドラム１４Ｙから離れる。
【００４６】
露光ヘッド１３Ｙは、図５に示すように、ＬＥＤアレイと、露光フレーム５１Ｙと、支持フレーム５２Ｙとを備える。
【００４７】
２．２．１  ＬＥＤアレイ
ＬＥＤアレイは、露光フレーム５１Ｙの内部に収容されているため、図示されていない。なお、ＬＥＤアレイは、ドラムカートリッジ５Ｙがドロワユニット４に装着され、露光ヘッド１３Ｙが第１位置に位置した状態で、感光ドラム１４Ｙに対して、所定の間隔を空ける。ＬＥＤアレイは、複数のＬＥＤを有する。複数のＬＥＤは、ドロワユニット４の幅方向に並ぶ。すなわち、複数のＬＥＤは、ドラムカートリッジ５Ｙがドロワユニット４に装着され、露光ヘッド１３Ｙが第１位置に位置した状態で、軸線方向に並ぶ。
【００４８】
２．２．２  露光フレーム
露光フレーム５１Ｙは、ＬＥＤアレイを支持する。露光フレーム５１Ｙは、露光ヘッド１３Ｙが第１位置に位置した状態で、支持フレーム５２Ｙの下方に位置する。露光フレーム５１Ｙは、ドラムカートリッジ５Ｙがドロワユニット４に装着され、露光ヘッド１３Ｙが第１位置に位置した状態で、上下方向において、支持フレーム５２Ｙと感光ドラム１４Ｙ（図８参照）との間に位置する。露光フレーム５１Ｙは、図６Ａおよび図６Ｂに示すように、フレーム本体５３と、２つの突出部５４Ａ、５４Ｂ（図５参照）と、２つの突出部５５Ａ、５５Ｂ（図５参照）とを有する。
【００４９】
フレーム本体５３は、ドロワユニット４の幅方向に延びる。フレーム本体５３は、筒形状を有する。フレーム本体５３は、ＬＥＤアレイを収容する。これにより、露光フレーム５１Ｙは、ＬＥＤアレイを支持する。
【００５０】
突出部５４Ａは、幅方向におけるフレーム本体５３の一端部から突出する。突出部５４Ａは、幅方向に延びる。突出部５４Ａは、穴５６を有する。穴５６は、円形である。穴５６には、ドラムカートリッジ５Ｙがドロワユニット４に装着され、露光ヘッド１３Ｙが第１位置に位置した状態で、ドラムカートリッジ５Ｙのボス７２Ａが嵌まる。ボス７２Ａについては、後で説明する。穴５６にボス７２Ａが嵌まることにより、露光フレーム５１Ｙがドラムカートリッジ５Ｙに対して位置決めされる。
【００５１】
突出部５４Ｂは、図５に示すように、幅方向において、フレーム本体５３（図６Ｂ参照）に対して、突出部５４Ａの反対側に位置する。突出部５４Ｂは、幅方向におけるフレーム本体５３の他端部から突出する。突出部５４Ｂは、幅方向に延びる。突出部５４Ｂは、穴５７を有する。穴５７は、幅方向に延びる長穴である。穴５７には、ドラムカートリッジ５Ｙがドロワユニット４に装着され、露光ヘッド１３Ｙが第１位置に位置した状態で、ドラムカートリッジ５Ｙのボス７２Ｂが嵌まる。ボス７２Ｂについては、後で説明する。露光ヘッド１３Ｙが第１位置に位置するとき、穴５６にボス７２Ａが嵌まり、穴５７にボス７２Ｂが嵌まることにより、ドラムカートリッジ５Ｙは、ドロワユニット４から離脱不能となる。また、露光ヘッド１３Ｙが第３位置に位置するとき、穴５６からボス７２Ａが外れ、穴５７からボス７２Ｂが外れることにより、ドラムカートリッジ５Ｙは、ドロワユニット４から離脱可能となる。
【００５２】
突出部５５Ａは、図６Ａに示すように、フレーム本体５３の上面から突出する。突出部５５Ａは、上下方向に延びる。突出部５５Ａは、幅方向において、支持フレーム５２Ｙのフレーム本体５９とアーム６０Ａとの間に位置する。突出部５５Ａは、穴５８を有する。穴５８は、上下方向に延びる。穴５８には、支持フレーム５２Ｙのボス６１Ａが嵌まる。
【００５３】
突出部５５Ｂは、図５に示すように、幅方向において、支持フレーム５２Ｙのフレーム本体５９とアーム６０Ｂとの間に位置する。突出部５５Ｂは、突出部５５Ａと同じ構造を有し、突出部５５Ａと同様に説明される。そのため、突出部５５Ｂの説明は、省略される。
【００５４】
２．２．３  支持フレーム
支持フレーム５２Ｙは、露光フレーム５１Ｙを支持する。支持フレーム５２Ｙは、フレーム本体５９と、２つのアーム６０Ａ、６０Ｂとを有する。また、支持フレーム５２Ｙは、凹部６２を有する。すなわち、露光ヘッド１３Ｙは、凹部６２を有する。
【００５５】
フレーム本体５９は、幅方向に延びる。フレーム本体５９は、２つのボス６１Ａ、６１Ｂを有する。
【００５６】
ボス６１Ａは、幅方向におけるフレーム本体５９の一方側の側面から延びる。ボス６１Ａは、幅方向に延びる。ボス６１Ａは、円柱形状を有する。ボス６１Ａは、露光フレーム５１Ｙの突出部５５Ａの穴５８に嵌まる。
【００５７】
ボス６１Ｂは、幅方向において、フレーム本体５９に対して、ボス６１Ａの反対側に位置する。ボス６１Ｂは、幅方向におけるフレーム本体５９の他方側の側面から延びる。ボス６１Ｂは、幅方向に延びる。ボス６１Ｂは、円柱形状を有する。ボス６１Ｂは、露光フレーム５１Ｙの突出部５５Ｂの穴５８に嵌まる。ボス６１Ａが突出部５５Ａの穴５８に嵌まり、ボス６１Ｂが突出部５５Ｂの穴５８に嵌まることにより、支持フレーム５２Ｙは、露光フレーム５１Ｙを支持する。
【００５８】
アーム６０Ａは、幅方向におけるフレーム本体５９の一方側の側面から延びる。アーム６０Ａは、ボス６１Ａと異なる位置に位置する。アーム６０Ａは、ボス６３Ａを有する。ボス６３Ａは、幅方向に延びる。ボス６３Ａは、円柱形状を有する。ボス６３Ａは、サイドフレーム４３Ａの露光ヘッドガイド４７Ｙ（図４参照）に嵌まる。
【００５９】
アーム６０Ｂは、幅方向におけるフレーム本体５９の他方側の側面から延びる。アーム６０Ｂは、ボス６１Ｂと異なる位置に位置する。アーム６０Ｂは、ボス６３Ｂを有する。ボス６３Ｂは、幅方向に延びる。ボス６３Ｂは、円柱形状を有する。ボス６３Ｂは、サイドフレーム４３Ｂの露光ヘッドガイド４７Ｙに嵌まる。ボス６３Ａがサイドフレーム４３Ａの露光ヘッドガイド４７Ｙに嵌まり、ボス６３Ｂがサイドフレーム４３Ｂの露光ヘッドガイド４７Ｙに嵌まることにより、露光ヘッド１３Ｙは、ドロワフレーム４１に支持されるとともに、露光ヘッドガイド４７Ｙに沿って移動可能となる。
【００６０】
凹部６２は、図７Ａおよび図７Ｂに示すように、フレーム本体５９に設けられる。凹部６２は、幅方向において、フレーム本体５９の下端部から上方へ向かって凹む。凹部６２は、図７Ａに示すように、ドラムカートリッジ５Ｙがドロワユニット４に装着され、露光ヘッド１３Ｙが第１位置に位置した状態で、ドラムハンドル２２Ｙを収容する。ドラムハンドル２２Ｙについては、後で説明する。ドラムハンドル２２Ｙが凹部６２に収容されているとき、ユーザーは、ドラムハンドル２２Ｙを掴むことができない。また、図７Ｂに示すように、露光ヘッド１３Ｙが第１位置から第２位置へ移動することにより、ドラムハンドル２２Ｙは、凹部６２から外れる。ドラムハンドル２２Ｙが凹部６２から外れることにより、ユーザーは、ドラムハンドル２２Ｙを掴むことができる。
【００６１】
２．３  複数のカバー
複数のカバー４２Ｙ、４２Ｍ、４２Ｃ、４２Ｋは、図８に示すように、移動方向において、互いに間隔を空けて並ぶ。カバー４２Ｙは、露光ヘッド１３Ｙを保護する。詳しくは、カバー４２Ｙは、第１保護位置（図８参照）と、第２保護位置（図１０参照）との間を回動可能である。
【００６２】
第１保護位置は、第１位置に位置する露光ヘッド１３Ｙを保護する位置である。カバー４２Ｙは、露光ヘッド１３Ｙが第１位置に位置する状態で、第１保護位置に位置するとき、露光ヘッド１３Ｙの上方に位置する。カバー４２Ｙは、露光ヘッド１３Ｙが第１位置に位置する状態で、第１保護位置に位置するとき、上方から見て、露光ヘッド１３Ｙを覆う。これにより、カバー４２Ｙは、第１保護位置に位置するときに、第１位置に位置する露光ヘッド１３Ｙを保護する。
【００６３】
第２保護位置は、第３位置に位置する露光ヘッド１３Ｙを保護する位置である。カバー４２Ｙは、露光ヘッド１３Ｙが第３位置に位置する状態で、第３保護位置に位置するとき、移動方向において、露光ヘッド１３Ｙと、ドラムガイド４５Ｙの上端部との間に位置する。すなわち、ドラムカートリッジ５Ｙは、露光ヘッド１３Ｙが第３位置に位置する状態で、カバー４２Ｙが第３保護位置に位置するとき、カバー４２Ｙに対して露光ヘッド１３Ｙの反対側を通って、ドロワユニット４に装着可能である。カバー４２Ｙは、第２保護位置に位置するときに、露光ヘッド１３Ｙとドラムガイド４５Ｙの上端部との間に位置することにより、第３位置に位置する露光ヘッド１３Ｙを保護する。カバー４２Ｙは、露光ヘッド１３Ｙが第３位置に位置する状態でＬＥＤアレイを覆う。カバー４２ＹがＬＥＤアレイを覆うことにより、ドロワユニット４が外部位置に位置し、露光ヘッド１３Ｙが第３位置に位置する状態で、露光ヘッド１３ＹのＬＥＤアレイを保護することができる。
【００６４】
カバー４２Ｙは、図８から図１０に示すように、露光ヘッド１３Ｙが第１位置から第３位置へ移動するときに、露光ヘッド１３Ｙと接触することにより、第１保護位置から第２保護位置へ移動する。言いかえると、カバー４２Ｙは、露光ヘッド１３Ｙが第１位置から第３位置から移動する際に、露光ヘッド１３Ｙと連動して、第１保護位置から第２保護位置へと移動する。詳しくは、カバー４２Ｙは、図８から図９に示すように、露光ヘッド１３Ｙが第１位置から第２位置へ移動するときに、露光ヘッド１３Ｙと接触することにより、第１保護位置から第１回動方向に回動し、その後、露光ヘッド１３Ｙが第２位置から第３位置へ移動するときに、露光ヘッド１３Ｙと接触しながら、第１回動方向とは反対の第２回動方向に回動する。
【００６５】
なお、カバー４２Ｙは、第１回動方向に回動するとき、サイドフレーム４３Ａの一部と接触して、所定の位置で第１回動方向への回動を止められてもよい。そして、カバー４２Ｙは、自重により、第２回動方向に回動して第２保護位置へと移動する。また、カバー４２Ｙは、自重ではなく、図示しないバネによって、第２回動方向に押圧されてもよい。
【００６６】
カバー４２Ｙは、図３に示すように、幅方向に延びる。カバー４２Ｙは、平板形状を有する。カバー４２Ｙは、サイドフレーム４３Ａからサイドフレーム４３Ｂまで延びる。幅方向におけるカバー４２Ｙの一端部は、サイドフレーム４３Ａに支持される。幅方向におけるカバー４２Ｙの他端部は、サイドフレーム４３Ｂに支持される。カバー４２Ｙは、切欠き７１を有する。
【００６７】
切欠き７１は、露光ヘッド１３Ｙが第１位置に位置し、カバー４２Ｙが第１保護位置に位置する状態で、露光ヘッド１３Ｙの上端部を露出する。これにより、ユーザーは、露光ヘッド１３Ｙが第１位置に位置し、カバー４２Ｙが第１保護位置に位置する状態で、切欠き７１を介して、露光ヘッド１３Ｙの上端部を掴むことができる。また、ユーザーは、カバー４２Ｙに触れずに露光ヘッド１３Ｙの上端部を掴み、露光ヘッド１３Ｙを第１位置から第３位置へと移動させることにより、カバー４２Ｙを第１保護位置から第２保護位置へ移動させることができる。そのため、ユーザーがカバー４２Ｙと露光ヘッド１３Ｙと別々に移動させる必要が、なくなる。
【００６８】
カバー４２Ｍ、４２Ｃ、４２Ｋのそれぞれは、カバー４２Ｙと同じ構造を有し、カバー４２Ｙと同様に説明される。そのため、カバー４２Ｍ、４２Ｃ、４２Ｋについての説明は、省略される。
【００６９】
３．ドラムカートリッジの詳細
図５に示すように、ドラムカートリッジ５Ｙは、上記した感光ドラム１４Ｙ、帯電器１５Ｙ（図１参照）に加えて、ドラムフレーム２１Ｙと、ドラムハンドル２２Ｙとを備える。
【００７０】
ドラムフレーム２１Ｙは、感光ドラム１４Ｙおよび帯電器１５Ｙを支持する。ドラムフレーム２１Ｙは、感光ドラム１４Ｙおよび帯電器１５Ｙを覆う。ドラムフレーム２１Ｙは、軸線方向に延びる。ドラムフレーム２１Ｙは、２つのボス７２Ａ、７２Ｂを有する。ボス７２Ａは、ドラムフレーム２１Ｙの上面から延びる。ボス７２Ａは、上下方向に延びる。ボス７２Ａは、円柱形状を有する。ボス７２Ｂは、軸線方向において、ボス７２Ａに対して間隔を空けて位置する。ボス７２Ｂは、ボス７２Ａと同じ形状を有する。
【００７１】
ドラムハンドル２２Ｙは、ユーザーがドラムカートリッジ５Ｙをドロワユニット４に装着するときに、ユーザーによってつかまれる。ドラムハンドル２２Ｙは、ドラムフレーム２１Ｙに設けられる。ドラムハンドル２２Ｙは、ドラムフレーム２１Ｙの上面から上方へ突出する。ドラムハンドル２２Ｙは、軸線方向に延びる。ドラムハンドル２２Ｙは、軸線方向において、ボス７２Ａとボス７２Ｂとの間に位置する。ドラムハンドル２２Ｙは、ドラムカートリッジ５Ｙと現像カートリッジ６Ｙとがドロワユニット４に装着され、露光ヘッド１３Ｙが第１位置に位置した状態で、露光ヘッド１３Ｙの支持フレーム５２Ｙと、現像カートリッジ６Ｙとによって覆われる。これにより、ユーザーは、ドラムカートリッジ５Ｙと現像カートリッジ６Ｙとがドロワユニット４に装着され、露光ヘッド１３Ｙが第１位置に位置した状態で、ドラムハンドル２２Ｙを見ることができない。
【００７２】
４．現像カートリッジの詳細
図３に示すように、現像カートリッジ６Ｙは、現像筐体３１Ｙと、現像ハンドル３２Ｙとを有する。
【００７３】
現像筐体３１Ｙは、トナーを収容するように構成される。現像筐体３１Ｙは、幅方向に延びる。現像筐体３１Ｙは、筒形状を有する。
【００７４】
現像ハンドル３２Ｙは、ユーザーが現像カートリッジ６Ｙをドロワユニット４に装着するときに、ユーザーによってつかまれる。現像ハンドル３２Ｙは、現像筐体３１Ｙの上面に設けられる。現像ハンドル３２Ｙは、ドラムカートリッジ５Ｙと現像カートリッジ６Ｙとがドロワユニット４に装着され、露光ヘッド１３Ｙが第１位置に位置した状態で、覆われない。これにより、ユーザーは、ドラムカートリッジ５Ｙと現像カートリッジ６Ｙとがドロワユニット４に装着され、露光ヘッド１３Ｙが第１位置に位置した状態で、現像ハンドル３２Ｙを見ることができる。すなわち、ユーザーは、ドラムカートリッジ５Ｙと現像カートリッジ６Ｙとがドロワユニット４に装着され、露光ヘッド１３Ｙが第１位置に位置した状態で、ドラムハンドル２２Ｙを見ることができずに、現像ハンドル３２Ｙを見ることができる。そのため、ユーザーが現像カートリッジ６Ｙをドロワユニット４から取り外す前に、ドラムカートリッジ５Ｙを取り外そうとすることがなくなり、ドロワユニット４から現像カートリッジ６Ｙを先に取り外すべきことを認識できる。
【００７５】
５．ドロワユニットからのドラムカートリッジの離脱
以下、図８から図１０を参照して、ドロワユニット４からのドラムカートリッジ５Ｙの離脱について説明する。
【００７６】
ドロワユニット４からドラムカートリッジ５Ｙを離脱するには、まず、ユーザーは、図８に示すように、現像カートリッジ６Ｙをドロワユニット４から引き抜く。
【００７７】
すると、現像カートリッジ６Ｙは、現像ガイド４６Ｙによってガイドされ、露光ヘッド１３Ｙに対して現像カートリッジ６Ｍの反対側を通って、ドロワユニット４から離脱する。
【００７８】
次いで、ユーザーは、図９に示すように、露光ヘッド１３Ｙを第１位置から上方へ引き上げる。
【００７９】
すると、露光ヘッド１３Ｙは、露光ヘッドガイド４７Ｙの第１部分４７Ａによってガイドされ、第１位置から第２位置へ移動する。
【００８０】
また、カバー４２Ｙは、露光ヘッド１３Ｙによって押し上げられ、第１保護位置から第１回動方向に回動する。
【００８１】
次いで、ユーザーは、図１０に示すように、露光ヘッド１３Ｙを、現像カートリッジ６Ｍの上に向かって倒す。
【００８２】
すると、露光ヘッド１３Ｙは、露光ヘッドガイド４７Ｙの第２部分４７Ｂによってガイドされて移動方向に移動するとともに、ボス６３Ａ、６３Ｂを中心として回動する。
【００８３】
そして、露光ヘッド１３Ｙは、アーム６０Ａがサイドフレーム４３Ａの突起４８Ｙ（図４参照）に接触することにより、第３位置に位置する。
【００８４】
また、カバー４２Ｙは、露光ヘッド１３Ｙが第２位置から第３位置に回動するとき、第２回動方向に回動して、第２保護位置に位置する。
【００８５】
ここで、露光ヘッド１３Ｙが第１位置から第２位置に移動したとき、図６Ｂに示すように、ドラムカートリッジ５Ｙのボス７２Ａが露光ヘッド１３Ｙの穴５６から外れ、ドラムカートリッジ５Ｙのボス７２Ｂが露光ヘッド１３Ｙの穴５７から外れている。そのため、露光ヘッド１３Ｙが第３位置に位置した状態で、ドラムカートリッジ５Ｙは、ドロワユニット４から離脱可能となっている。
【００８６】
ユーザーは、図１０に示すように、ドラムカートリッジ５Ｙをドロワユニット４から引き抜く。
【００８７】
すると、ドラムカートリッジ５Ｙは、ドラムガイド４５Ｙによってガイドされ、カバー４２Ｙに対して露光ヘッド１３Ｙの反対側を通って、ドロワユニット４から離脱する。
【００８８】
これにより、ドロワユニット４からのドラムカートリッジ５Ｙの離脱が完了する。
【００８９】
６．ドロワユニットに対するドラムカートリッジの装着
以下、図８から図１０を参照して、ドロワユニット４に対するドラムカートリッジ５Ｙの装着について説明する。
【００９０】
ドロワユニット４にドラムカートリッジ５Ｙを装着するには、ユーザーは、図１０に示すように、現像カートリッジ６Ｙがドロワユニット４から離脱し、露光ヘッド１３Ｙが第３位置に位置した状態で、ドラムカートリッジ５Ｙを、ドラムガイド４５Ｙに嵌めて、ドロワユニット４に挿入する。
【００９１】
すると、ドラムカートリッジ５Ｙは、ドラムガイド４５Ｙによってガイドされ、カバー４２Ｙに対して露光ヘッド１３Ｙの反対側を通って、ドロワユニット４に装着される。
【００９２】
その後、ユーザーは、図１０から図８に示すように、露光ヘッド１３Ｙを第３位置（図１０参照）から、第２位置（図９参照）を経て、第１位置（図８参照）に移動させる。
【００９３】
すると、露光ヘッド１３Ｙが第２位置から第１位置へ移動するときに、図６Ａに示すように、ドラムカートリッジ５Ｙのボス７２Ａが露光ヘッド１３Ｙの穴５６に嵌まり、ドラムカートリッジ５Ｙのボス７２Ｂが露光ヘッド１３Ｙの穴５７に嵌まる。これにより、ドラムカートリッジ５Ｙが、ドロワユニット４から離脱不能となる。
【００９４】
次いで、ユーザーは、図８に示すように、現像カートリッジ６Ｙを、現像ガイド４６Ｙに嵌めて、ドロワユニット４に挿入する。
【００９５】
すると、現像カートリッジ６Ｙは、現像ガイド４６Ｙによってガイドされ、露光ヘッド１３Ｙに対して現像カートリッジ６Ｍの反対側を通って、ドロワユニット４に装着される。
【００９６】
７．作用効果
画像形成装置１によれば、図８および図９に示すように、露光ヘッド１３Ｙを第１位置から第２位置へスライドさせることにより、露光ヘッド１３Ｙを感光ドラム１４Ｙから確実に離すことができる。
【００９７】
また、図９および図１０に示すように、露光ヘッド１３Ｙを第２位置から第３位置に回動させることにより、露光ヘッド１３Ｙを第２位置に位置させておくよりも、露光ヘッド１３Ｙを配置するスペースの省スペース化を図ることができる。
【００９８】
その結果、ドロワユニット４の大型化を抑制しつつ、ドラムカートリッジ５Ｙをドロワユニット４から離脱させるときにドラムカートリッジ５Ｙが露光ヘッド１３Ｙに接触することを防止できる。
【符号の説明】
【００９９】
１        画像形成装置
２        本体筐体
４        ドロワユニット
４Ａ      下流端
４Ｂ      上流端
５Ｙ      ドラムカートリッジ
５Ｍ      ドラムカートリッジ
６Ｙ      現像カートリッジ
６Ｍ      現像カートリッジ
１３Ｙ    露光ヘッド
１４Ｙ    感光ドラム
１４Ｍ    感光ドラム
２２Ｙ    ドラムハンドル
３２Ｙ    現像ハンドル
４１      ドロワフレーム
４２Ｙ    カバー
４３Ａ    サイドフレーム
４３Ｂ    サイドフレーム
４４      ドロワハンドル
５１Ｙ    露光フレーム
７１      切欠き
【図１】
2019105825.tif 000003
【図２】
2019105825.tif 000004
【図３】
2019105825.tif 000005
【図４】
2019105825.tif 000006
【図５】
2019105825.tif 000007
【図６】
2019105825.tif 000008
【図７】
2019105825.tif 000009
【図８】
2019105825.tif 000010
【図９】
2019105825.tif 000011
【図１０】
2019105825.tif 000012